(57)【要約】【課題】  従来のクレジットカード等の署名欄貼り替えや署名の書き換えによるカード変造および暗証番号割り出しによる不正使用を遮るのはなかなか難しい。また、会員証・社員証等の個人認識カードに於いても、顔写真等はプリンタがあれば作成できるが、偽造が容易であったり、非接触ＩＣチップにエンコードされた情報を読み取って正偽認識するリーダー端末が必要であったりで、人為的な視認によっての正偽判断が必ずしも完全に可能とは言えなかった。【解決手段】  透かし印刷（画像化）を片面もしくは両面に施してある透明合成樹脂シートに彫刻可能な白色彫刻層を設け、その層を彫刻手段により、個体認識のできる顔写真や図柄意匠の透かし彫りを施し、その透かし彫りを施した部分の加工以前からあった透かし画像をその透かし彫りによって消去もしくは書き換えることのできるシート及びシステムを提供する。【選択図】  図１
2007118395.tif 000002
【特許請求の範囲】
【請求項１】
ICチップとアンテナとを封入し、夫々所要面積と厚みとを有する上部透明カード支持体層及び下部透明カード支持体層と、所要面積と厚みを有し、該ICチップと該アンテナとに干渉しない領域に形成された写真画像出力部を有し、該上部透明カード支持体層に一体に設けられた白色隠蔽及び通常印刷層と、該写真画像出力部に形成された昇華熱転写印字画像と、所要面積と厚みを有し、該写真画像出力部に対応する箇所に白色マット層を形成し、該下部透明カード支持体層に一体に設けられた通常印刷層と、所要面積と厚みとを有し、該通常印刷層に一体に設けられた黒色印刷層と、該通常印刷層と該黒色印刷層とに彫刻された個人識別署名画像及び透かし画像とから成り；個人認証カードの個人写真画像を印字出力する部のみを透明な素材として、昇華熱転写印字による顔写真画像出力を行い、その同寸画像を逆像にて裏面より透かし彫りを施すことにより、彫られた部分が白濁化することで画像となり、表裏を見比べ、または、透かしてみることにより、正偽曖昧なものでなく、視認によりよる正偽の判断が容易なセキュリティ性の高い認証カード。
【請求項２】
ICチップとアンテナとを封入し、夫々所要面積と厚みとを有する上部透明カード支持体層及び下部透明カード支持体層と、所要面積と厚みを有し、該ICチップと該アンテナとに干渉しない領域に形成された写真画像出力部を有し、該上部透明カード支持体層に一体に設けられた白色隠蔽及び通常印刷層と、該写真画像出力部に形成された昇華熱転写印字画像と、所要面積と厚みを有し、該写真画像出力部に対応する箇所に白色マット層を形成し、該下部透明カード支持体層に一体に設けられた通常印刷層と、所要面積と厚みとを有し、該通常印刷層に一体に設けられた黒色印刷層と、該通常印刷層と該黒色印刷層とに彫刻された個人識別署名画像及び透かし画像と、該黒色印刷層に所要厚みを有する地紋ホログラム隠蔽層を一体に設けて成り；該黒色印刷層と該通常印刷層に彫刻された個人識別署名画像及び透かし画像とを彫刻した事を特徴とする請求項１記載のセキュリティ性の高い認証カード。
【請求項３】
カード所有者本人が自筆にて直接カードの署名欄（ネームパネル）へ署名するのではなく、画像作成に於いて、個人署名に代わる個人本人識別の署名を画像化して、これを前項による裏面からの透かし彫り画像化工程と同工程もしくは別途単独な工程として、カードに加工を施し、これにより署名欄（ネームパネル）貼り替えや署名書き換え等の偽造を防止すると共に、機械的に画像化した彫刻による署名は、その上を数字等のエンボスを施しても画像は鮮明に識別できるため、署名欄（ネームパネル）の位置制約がない個人認証カードを視認可能なセキュリティ機能を有する認証カードの製造法。
【発明の詳細な説明】
【技術分野】
【０００１】
この発明は、個人認証カードを視認可能なセキュリティ機能を有する認証カード及びその製造法に関し、更に詳しくは個人認証カードの個人写真画像を印字出力する部分のみを透明な素材とし、昇華熱転写印字により顔写真画像を出力し、その同寸画像を逆像により裏面から透かし彫りをして彫られた部分を白濁化画像とし、安価で裏表からの視認及び透かし行為による正偽の判断が容易且つ安価なセキュリティ性の高い個人認証カードを視認可能なセキュリティ機能を有する認証カード及びその製造法に関する。
【背景技術】
【０００２】
従来、クレジットカード等のセキュリティは、裏面の署名欄の署名とカード所持者の署名との照合、もしくは磁気テープや内蔵（接触及び非接触）ＩＣチップによるホストコンピュータの登録暗証番号とカード所持者の入力暗証番号の照合とにより実施されている。
【０００３】
また、会員証・社員証等の個人認証カードのセキュリティに於いては、白色塩化ビニル（以下ＰＶＣ）シートに個人写真の画像が昇華熱転写印字にて出力されているもの及び非接触ＩＣチップ等が埋め込まれていて、それらを各々もしくは同時に双方により正偽認識されているのが現状である。
【０００４】
これらは、従来のクレジットカード等の署名欄貼り替えや署名の書き換えによるカード変造および暗証番号割り出しによる不正使用を遮るのはなかなか難しい。
【０００５】
また、会員証・社員証等の個人認識カードにおいても、顔写真等はプリンタがあれば作成でき、偽造が容易であったり、非接触ＩＣチップにエンコードされた情報を読み取って正偽認識するリーダー端末が必要であったりで、人為的な視認によっての正偽判断が必ずしも完全に可能とは言えなかった。
【０００６】
これには変造偽造に対する抵抗力が非常に低く、クレジットカード会社は、変造及び偽造使用されたときの損害を保険により補償し、或いは個体カード自身の与信額の切り下げによる対処より被害額を最小限に留めて来た。
【０００７】
しかし、登録暗証番号の漏洩等カード会社の人為的ミスやハッカー等によるデータ搾取等においては、保険により補償されるものではなく、カード会社の信用にも関わる問題として多種類のセキュリティが検討されている。
【０００８】
また、従来個人認証カードにおいては、セキュリティとコストのバランスから個人認証カードでは、多くが白色塩化ビニル（以下ＰＶＣと言う）カード、もしくは非接触ＩＣチップ入り白色ＰＶＣカードに昇華熱転写印字により、個人写真画像を出力しているのが一般的である。
【０００９】
これら個人認証に関わるセキュリティは、各種の問題点を抱えている。例えば、昇華熱転写印字可能なプリンタを所有していれば異なる人物の画像を印字出力することは容易である。しかし、不審者が持っているカードに不審者自身の顔写真画像が出力印字されていた場合、即座に不審者とは判断できない。
【００１０】
更に、仮に非接触ＩＣチップが内蔵されているカードであっても、不審者を尋問する当該箇所に非接触ＩＣチップを読み取るリーダー端末が無ければ即座に不審者であるとの断定が難しい。現在、社会的に不審者の洗い出し等は分業化されていて各企業等外部業者へ委託する場合が多いため、これら不審者の尋問にも限度がある。
【００１１】
一般的には、敷地の入口や玄関等で非接触ＩＣチップのリーダー端末を通じて個人識別しているのが現状であるが、コスト面から使われている非接触ＩＣチップの記憶容量は、ＣＰＵ非内蔵の１Ｋバイト程度のもので、入力されている個人識別情報が社員番号・氏名もしくはカード個体識別番号等複雑なものではない。
【発明の開示】
【発明が解決しようとする課題】
【００１２】
また、従来提案されているカードリーダー／ライター端末としては、例えば、
【特許文献１】特開平WO９５／３１７９７、
【特許文献２】特開平１０−２１５２８８、
【特許文献３】特開平１１−０３４０６、
【特許文献４】特開平１１−１２０２９５、
【特許文献５】特開２０００−３４８１５０、
【特許文献６】特開２００１−１０１３０５、
【特許文献７】特開２０００−３４８１５０、
【特許文献８】特開２００１−１０１３０５、
【特許文献９】特開２００２−３１２７２５、
【特許文献１０】特開２００４−１４５４７７、
【特許文献１１】特開２００５−９９９１５、等が挙げられる。
【００１３】
従来、社員証等の個人認証カードのセキュリティは、白色塩化ビニルシートに、個人写真の画像が昇華熱転写印字により出力されているもの及び非接触ＩＣチップ等が埋め込まれていて、それらを各々もしくは同時に双方により正偽認識されているのが現状である。
【００１４】
偽造しにくい点も含め、ＰＶＣシート以外を使用したカードは存在するが、簡便に個人認識のための個人写真画像を出力することは難しく、何らかの加工を必要とするため、低コストでの成果物が得られない。
【００１５】
従来、セキュリティとコストとのバランスから個人認証カードにおいては、多くが白色塩化ビニルカードもしくは非接触ICチップ入り白色PVCカードに昇華熱転写印字により個人写真画像を出力しているのが一般的である。
【００１６】
しかし、これらのセキュリティは、次の様な各種の問題点を有する。例えば、昇華熱転写印字可能なプリンタを使用していれば、異なる人物の画像を印字出力することが避けられない。
【００１７】
そして、これらの問題が解析されれば、簡単に正規なカードと同等の偽造カードが作成されてしまう。
【００１８】
これらの問題を解消するため、ＣＰＵ内蔵の５００Ｋバイト以上の非接触ＩＣチップを使用し、接触タイプＩＣチップや磁気テープの併用によりセキュリティを向上させることは容易であるが、コスト面の障害が大きくなる上に、個人識別のための顔写真を印字出力する領域が限定されてしまう欠陥がある。
【００１９】
また、非接触式ＩＣカードにおいては、使用している周波数帯により外部衝撃によるアンテナ欠線が、発生しやすい場合がある。
【００２０】
その結果、偽造しにくい点も含め、ＰＶＣシート以外を使用したカードは存在するが、個人認識のための個人写真画像を視認及び出力することは難しく、何らかの加工を必要とするので、低コストによる成果が得られない。
【００２１】
クレジットカード等の金銭に関わる問題や個人認証カード等の特定の個人だけを入室許可、特定のプレミアムを付与する等の情報漏洩及び特定のサービス対策としての問題等は、全てにおいて企業の信用問題と共に対価となる損害との代償に比例してセキュリティレベルとそれらにかけるコストが異なってくるので、これらにより使用される場面に合うセキュリティを付与する必要がある。
【課題を解決するための手段】
【００２２】
前述の目的を達成するため、この発明の第1要旨は、ICチップとアンテナとを封入し、夫々所要面積と厚みとを有する上部透明カード支持体層及び下部透明カード支持体層と、所要面積と厚みを有し、該ICチップと該アンテナとに干渉しない領域に形成された写真画像出力部を有し、該上部透明カード支持体層に一体に設けられた白色隠蔽及び通常印刷層と、該写真画像出力部に形成された昇華熱転写印字画像と、所要面積と厚みを有し、該写真画像出力部に対応する箇所に白色マット層を形成し、該下部透明カード支持体層に一体に設けられた通常印刷層と、所要面積と厚みとを有し、該通常印刷層に一体に設けられた黒色印刷層と、該通常印刷層と該黒色印刷層とに彫刻された個人識別署名画像及び透かし画像とから成り；個人認証カードの個人写真画像を印字出力する部のみを透明な素材として、昇華熱転写印字による顔写真画像出力を行い、その同寸画像を逆像にて裏面より透かし彫りを施すことにより、彫られた部分が白濁化することで画像となり、表裏を見比べ、または、透かしてみることにより、正偽曖昧なものでなく、視認による正偽の判断が容易なセキュリティ性の高い認証カードである。
【００２３】
この発明の第２要旨は、ICチップとアンテナとを封入し、夫々所要面積と厚みとを有する上部透明カード支持体層及び下部透明カード支持体層と、所要面積と厚みを有し、該ICチップと該アンテナとに干渉しない領域に形成された写真画像出力部を有し、該上部透明カード支持体層に一体に設けられた白色隠蔽及び通常印刷層と、該写真画像出力部に形成された昇華熱転写印字画像と、所要面積と厚みを有し、該写真画像出力部に対応する箇所に白色マット層を形成し、該下部透明カード支持体層に一体に設けられた通常印刷層と、所要面積と厚みとを有し、該通常印刷層に一体に設けられた黒色印刷層と、該通常印刷層と該黒色印刷層とに彫刻された個人識別署名画像及び透かし画像と、該黒色印刷層に所要厚みを有する地紋ホログラム隠蔽層を一体に設けて成り；該黒色印刷層と該通常印刷層に彫刻された個人識別署名画像及び透かし画像とを彫刻した事を特徴とするセキュリティ性の高い認証カードである。
【００２４】
この発明の第３要旨は、カード所有者本人が自筆にて直接カードの署名欄（ネームパネル）へ署名するのではなく、画像作成において、個人署名に代わる個人本人識別の署名を画像化して、これを前項による裏面からの透かし彫り画像化工程と同工程もしくは別途単独な工程として、カードに加工を施し、これにより署名欄（ネームパネル）貼り替えや署名書き換え等の偽造を防止すると共に、機械的に画像化した彫刻による署名は、その上を数字等のエンボスを施しても画像は鮮明に識別できるため、署名欄（ネームパネル）の位置制約がない個人認証カードを視認可能なセキュリティ機能を有する認証カードの製造法である。
【発明の効果】
【００２５】
（１）この発明に係る個人認証カードを視認可能なセキュリティ機能を有する認証カードによれば、個人認証カードの個人写真画像を印字出力する部のみを透明な素材とし、昇華熱転写印字により顔写真画像出力し、その同寸画像を逆像にて裏面より透かし彫りを実施し、彫られた部分が白濁化して画像となり、表裏を見比べ、または、透かして見ることにより、正偽曖昧なものでなく、視認により明らかに正偽の判断が容易なセキュリティを有する認証カードの製造法が得られる。
【００２６】
（２）この発明によれば、同時に安価であるため、従来の機能にプラスした場合、表裏からの視認及び透かし行為による正偽の判断が容易な視認可能なセキュリティを有する認証カードが得られる。
【００２７】
（３）この発明によれば、従来の機能に付加した場合、表裏からの視認及び透かし行為による正偽判断作業が容易なセキュリティを有する認証カードが得られる。
【００２８】
（４）また、従来の署名欄（ネームパネル）へ個人署名していた場合と異なり、擦れ等による署名の判読性減退がないため、寿命の長いカードとして有効期限を設定できる。
【００２９】
（５）前述の通り、クレジットカード等のセキュリティ性向上のために、署名欄（ネームパネル）への個人識別のための署名に替わる署名を画像化したデータより機械的に彫刻して画像を形成し、これにより作為的な変造等が不可能となり、セキュリティ向上が可能となる。
【００３０】
（６）また、個人認証カードの個人写真画像を印字出力する部分のみを透明な素材として、昇華熱転写印字による顔写真画像出力を行い、その同寸画像を逆像により裏面より透かし彫りを施すことにより、彫刻された部分が白濁化することで画像となり、表裏を見比べ、或いは、透かして見ることにより正偽曖昧なものではなく、視認により明らかなセキュリティを提供する。
【００３１】
（７）同時に、従来の機能に付加した場合、表裏からの視認及び透かし行為により正偽の判断が容易なセキュリティ性の高い個人認証カードが得られる。
【００３２】
（８）加えて、カード所有者本人が自筆にて直接カードの署名欄（ネームパネル）へ署名するのではなく、画像作成において、個人署名に代わる個人本人識別の署名を画像化して、これを裏面からの透かし彫り画像化工程と同工程もしくは別途単独な工程として、カードに加工を施し、これにより署名欄（ネームパネル）貼り替えや署名書き換え等の偽造を防止すると共に、機械的に画像化した彫刻による署名は、その上を数字等のエンボスを施しても画像は鮮明に識別できるため、署名欄（ネームパネル）の位置制約がない個人認証カードを視認可能なセキュリティ機能を有する認証カード
が得られる。
【発明を実施するための最良の形態】
【００３３】
次に、この発明に係る個人認証カードを視認可能なセキュリティ機能を有する認証カード及びその製造法を実施するための最良の形態及び使用事例を挙げて説明する。該認証カードは、少なくとも顔写真画像部が透明な合成樹脂シートで作られたカードに、昇華熱転写印字により顔写真画像出力し、その同寸画像を逆像にて裏面より透かし彫りを施すことにより、従来の機能にプラスして表裏から視認及び透かし行為により正偽の判断が容易な認証カードが得られる。
【実施例１】
【００３４】
以下、この発明に係る個人認証カードを視認可能なセキュリティ機能を有する認証カードの製造法の実施例を説明する。
図１〜３、６において、個人認証カードＣは、透明合成樹脂シート１０の製造工程で、夫々面積５４ｍｍ  ｘ  ８６ｍｍと厚み２００〜４５０μｍとを有する上部透明カード支持層１２ａと下部透明カード支持層１２ｂとの間に、非接触ＩＣチップICチップ１４とアンテナ１６とを封入して一体とした心材の透明カード支持層１２を形成する。
【００３５】
他の実施例においては、白色合成樹脂シート１０の製造工程で、夫々面積５４ｍｍ  ｘ  ８６ｍｍと厚み２００〜４５０μｍとを有する上部透明カード支持層１２ａと下部透明カード支持層１２ｂとの間に、非接触ＩＣチップICチップ１４とアンテナ１６とを封入した心材の透明カード支持層１２を形成する。
【００３６】
該透明カード支持層１２の製造工程において、文字・デザイン等の画像印刷、透かし部以外の領域に隠蔽性を付与する印刷を実施する。
【００３７】
具体的には、該上部透明カード支持層１２ａの該非接触ＩＣチップICチップ１４と該アンテナ１６とに干渉しない領域に厚み３μｍ以下の写真画像出力部１８ａを形成した厚み３〜２０μｍの白色塩化ビニル製隠蔽及び通常印刷層１８を、該上部透明カード支持層１２ａに一体に設ける。
【００３８】
該白色塩化ビニル製隠蔽及び通常印刷層１８の該写真画像出力部１８ａに、個人写真画像２０を昇華熱転写により出力印字する。
【００３９】
厚み３〜２０μｍを有し、該白色塩化ビニル製隠蔽及び通常印刷層１８の該写真画像出力部１８ａに対応する箇所に厚み５〜２０μｍの白色マット層２２ａを有する厚み３〜２０μｍの通常印刷層２２を、該下部透明カード支持層１２ｂの下面に一体に設ける
【００４０】
図２において、厚み５〜１５μｍを有する黒色印刷層２４を、該通常印刷層２２の下面で該白色マット層２２ａと干渉しない箇所に一体に設け、彫刻する前の模式的断面略図である。
【実施例２】
【００４１】
図３は、図２の該通常印刷層２２と該黒色印刷層２４とに個人識別署名画像及び透かし画像を彫刻した実施例である。
【実施例３】
【００４２】
図４は、図３の実施例２記載の該黒色印刷層２４に厚み５〜１５μｍを有する地紋ホログラム層（例えばホログラム箔等）２６を一体に設けた実施例である。
【実施例４】
【００４３】
図５において、実施例３記載の該通常印刷層２２、該黒色印刷層２４及び該地紋ホログラム層２６に所望の個人識別署名画像及び透かし画像を彫刻した実施例である。
【図面の簡単な説明】
【００４４】
【図１】は、この発明に係る個人認証カードの拡大正面図である。
【図２】は、図１の個人認証カードの実施例で非接触ＩＣチップとアンテナ配線とを封入した上下透明支持体層の上下面に白色隠蔽及び通常印刷層と下部通常印刷層とを夫々形成し、該下部通常印刷層に黒色印刷層を形成した図１の１１−１１線模式的拡大断面略図である。
【図３】は、図２の実施例で該下部通常印刷層と該黒色印刷層とに彫刻により画像化した状態を示す模式的拡大断面略図である。
【図４】は、図２の実施例で該黒色印刷層に地紋ホログラム隠蔽層を形成した模式的拡大断面略図である。
【図５】は、図４の実施例で該黒色印刷層と該地紋ホログラム隠蔽層に彫刻により画像化した状態を示す模式的拡大断面略図である。
【図６】は、この発明に係る認証カードの製造法のフローチャートである。
【符号の説明】
【００４５】
１０  ・・・  白色合成樹脂シート；
１２  ・・・  透明カード支持層；
１２ａ  ・・・  上部透明カード支持層；
１２ｂ  ・・・  下部透明カード支持層；
１４  ・・・  非接触ＩＣチップIC；
１６  ・・・  アンテナ；
１８  ・・・  隠蔽及び通常印刷層；
１８ａ  ・・・  写真画像出力部；
２０  ・・・  個人写真画像；
２２  ・・・  通常印刷層；
２２ａ  ・・・  白色マット層；
２４  ・・・  黒色印刷層；
２６  ・・・  地紋ホログラム層。
【図１】
2007118395.tif 000003
【図２】
2007118395.tif 000004
【図３】
2007118395.tif 000005
【図４】
2007118395.tif 000006
【図５】
2007118395.tif 000007
【図６】
2007118395.tif 000008